(57)【要約】      （修正有）【課題】建築工事やトンネル内工事において、直交する異形鉄筋を簡単な部品で強固に結束することのできる異形鉄筋直交結束装置を提供する。【解決手段】結束用丸棒鋼材の先端屈曲部がＵ字状に屈曲され、該先端屈曲部に対して直交方向に中間屈曲部を形成し、２方向に分かれた結束用丸棒鋼材の後端部の棒状鋼材延長部の一方にテーパー付ナットを挿入する長孔を、他方にボルト挿入孔を形成する。シャックル本体部の頂部屈曲部と直交する方向にシャックル本体部の下方を捩り加工して改造ツイストシャックルとし、２方向に分かれたシャックル本体部の先端の棒状鋼材延長部の一方にテーパー付ナットを挿入する長孔を、他方にボルト挿入孔を形成する。【選択図】図１
0003156293.tif 000002
【実用新案登録請求の範囲】
【請求項１】
結束用棒状鋼材の先端屈曲部がＵ字状に屈曲され、該先端屈曲部に対して直交方向に中間屈曲部を形成し、２方向に分かれた結束用棒状鋼材の後端部を棒状鋼材延長部に形成した該結束用棒状鋼材又はシャックル本体部の頂部屈曲部と直交する方向にシャックル本体部の下方を捩加工した改造ツイストシャックルによって、主異形鉄筋とループ異形鉄筋とが直交状態に結束されるように構成したことを特徴とする異形鉄筋直交結束装置。
【請求項２】
結束用棒状鋼材の先端屈曲部がＵ字状に屈曲され、該先端屈曲部に対して直交方向に中間屈曲部を形成し、２方向に分かれた結束用棒状鋼材の後端部を棒状鋼材延長部に形成し、該棒状鋼材延長部の一方にボルト挿入孔を形成し、他方に長孔を形成し、該長孔にテーパー付ナットを嵌着し、ボルトの螺合により次第にナットが長孔に嵌まって棒状鋼材延長部間が近接するように構成され、主異形鉄筋とループ異形鉄筋とが直交状態に結束されるように構成したことを特徴とする請求項１記載の異形鉄筋直交結束装置。
【請求項３】
シャックル本体部の頂部屈曲部と直交する方向にシャックル本体部の下方を捩り加工して改造ツイストシャックルとし、２方向に分かれたシャックル本体部の先端を棒状鋼材延長部に形成し、該棒状鋼材延長部の一方にボルト挿入孔を形成し、他方に長孔を形成し、該長孔にテーパー付ナットを嵌着し、ボルトの螺合により次第にナットが長孔に嵌まって棒状鋼材延長部間が近接するように構成され、主異形鉄筋とループ異形鉄筋とが直交状態に結束されるように構成したことを特徴とする請求項１記載の異形鉄筋直交結束装置。
【請求項４】
シャックル本体部の頂部屈曲部と直交する方向にシャックル本体部の下方を捩り加工して改造ツイストシャックル５とし、主異形鉄筋とループ異形鉄筋とを直交するように挿通させ、２方向に分かれたシャックル本体部の先端に異形鉄筋対応座金を嵌め、更に先端部のネジ部にナットを螺着して該ナット６１を締め付け、主異形鉄筋とループ異形鉄筋とが直交状態に結束されるように構成したことを特徴とする請求項１記載の異形鉄筋直交結束装置。
【考案の詳細な説明】
【技術分野】
【０００１】  本考案は異形鉄筋直交結束装置に関し、特に建築工事やトンネル内工事において、直交する複数の異形鉄筋を簡単な部品で強固に結束することのできる異形鉄筋直交結束装置に関する。
【背景技術】
【０００２】  従来、鉄筋の結束には番線や結束線が使用されているが、これらを用いるための結束具や種々の鉄筋結束装置が開発されている。
【先行技術文献】
【特許文献】
【０００３】
【特許文献１】  特開平８−１９９８１８号公報
【特許文献２】  特開２００９−１８００１０号公報
【特許文献３】  特開２００３−２３９４５９号公報
【特許文献４】  特開２００７−９２４３５号公報
【０００４】  前記せる特開平８−１９９８１８号公報および特開２００９−１８００１０号公報はいずれも番線や結束線を使用するものであって、結束後の強い強度を要する場合は不向きなものであった。【０００５】  また、前記せる特開２００３−２３９４５９号公報では、鉄筋連結先端部が半円弧状になっているＪ型アーム２本を並列に持ち、Ｊ型アームの先端半円弧状の内側に鉄筋を重合し、Ｊ型アーム上部を固定するナットを基点として固持するものであるが、この連結金具では連結する鉄筋の太さを変えて連結する場合にＪアームの角度を強制的に開くことになるので作業性と強度に問題があった。【０００６】  また、前記せる特開２００７−９２４３５号公報では、締付け座金に固定されたフープ筋把持部に単にフープ筋をはめ込むものであって、フープ筋を強固に固定できる構造ではなく強度的にも問題があった。【０００７】
【考案の概要】
【考案が解決しようとする課題】
【０００８】  異形鉄筋の結束に於いては、簡単な構造で作業性がよく、しかも強度的にも優れた結束ができる異形鉄筋直交結束装置が求められている。
【課題を解決するための手段】
【０００９】  結束用棒状鋼材の先端屈曲部がＵ字状に屈曲され、該先端屈曲部に対して直交方向に中間屈曲部を形成し、２方向に分かれた結束用棒状鋼材の後端部を棒状鋼材延長部に形成し、該棒状鋼材延長部の一方にボルト挿入孔を形成し、他方に長孔を形成し、該長孔にテーパー付ナットを嵌着し、ボルトの螺合により次第にナットが長孔に嵌まって棒状鋼材延長部間が近接するように構成され、主異形鉄筋とループ異形鉄筋とが直交状態に結束されるように構成したことを特徴とし、且つ、シャックル本体部の頂部屈曲部と直交する方向にシャックル本体部の下方を捩って改造ツイストシャックルとし、２方向に分かれたシャックル本体部の先端を棒状鋼材延長部に形成し、該棒状鋼材延長部の一方にボルト挿入孔を形成し、他方に長孔を形成し、該長孔にテーパー付ナットを嵌着し、ボルトの螺合により次第にナットが長孔に嵌まって棒状鋼材延長部間が近接するように構成され、主異形鉄筋とループ異形鉄筋とが直交状態に結束されるように構成したことを特徴とする異形鉄筋直交結束装置を提供する。
【考案の効果】
【００１０】  本考案の異形鉄筋直交結束装置の第１の実施例では、結束用棒状鋼材の先端屈曲部がＵ時状に屈曲され、該先端屈曲部に対して直交方向に中間屈曲部を形成し、２方向に分かれた結束用棒状鋼材の後端部を棒状鋼材延長部に形成し、該棒状鋼材延長部の一方にボルト挿入孔を形成し、他方に長孔を形成し、該長孔にテーパー付ナットを嵌着し、ボルトの螺合により次第にナットが長孔に嵌まって棒状鋼材延長部間が近接するように構成されているので、主異形鉄筋とループ異形鉄筋とが直交状態に結束され、しかも異形鉄筋の直径がＤ２２、Ｄ１９、Ｄ１６と変わっても問題なく結束できる構造になっている。【００１１】    本考案の異形鉄筋直交結束装置の第２の実施例では、シャックル本体部の頂部屈曲部と直交する方向にシャックル本体部の下方を捩って改造ツイストシャックルとし、２方向に分かれたシャックル本体部の先端を棒状鋼材延長部に形成し、該棒状鋼材延長部の一方にボルト挿入孔を形成し、他方に長孔を形成し、該長孔にテーパー付ナットを嵌着し、ボルトの螺合により次第にナットが長孔に嵌まって棒状鋼材延長部間が近接するように構成されているので、主異形鉄筋とループ異形鉄筋とが直交状態に結束され、しかも異形鉄筋の直径がＤ２２、Ｄ１９、Ｄ１６と変わっても問題なく結束できる構造になっている。
【図面の簡単な説明】
【００１２】
【図１】  本考案の異形鉄筋直交結束装置の一例を示す斜視図である。
【図２】  改造ツイストシャックルの斜視図である。
【図３】  改造ツイストシャックルを用いる異形鉄筋直交結束装置の斜視図である。
【図４】  棒状鋼材延長部に嵌着するテーパー付ナットがボルトで締め付けられる部分断面図である。
【図５】  棒状鋼材延長部に嵌着するテーパー付ナットがボルトで締め付けられる部分断面図である。
【図６】  改造ツイストシャックルを用いる異形鉄筋直交結束装置の斜視図である。
【考案を実施するための最良の形態】
【００１３】  以下、図面に示す実施例に基づき、本考案の異形鉄筋直交結束装置いついて、具体的に説明する。図面に於いて、図１は本発明の異形鉄筋直交結束装置の一例を示す斜視図である。図２は改造ツイストシャックルの斜視図である。図３は改造ツイストシャックルを用いる異形鉄筋直交結束装置の斜視図である。図４及び図５は、棒状鋼材延長部に嵌着するテーパー付ナットがボルトで締め付けられる部分断面図である。図６は改造ツイストシャックルを用いる異形鉄筋直交結束装置の他の実施例を示す斜視図である。【００１４】  図１に示す本考案の異形鉄筋直交結束装置の第１の実施例では、結束用棒状鋼材３の先端屈曲部３１がＵ字状に屈曲され、該先端屈曲部３１に対して直交方向に中間屈曲部３２を形成し、２方向に分かれた結束用棒状鋼材３の後端部を棒状鋼材延長部３３に形成することも可能であるから、該棒状鋼材延長部３３にボルト挿入孔３４を形成した簡単な構造となり、他方の棒状鋼材延長部３３に長孔３５を形成し、該長孔３５に図４に示すテーパー付ナット８を取付けてボルトを締付ける簡単操作により、更に異形鉄筋の直径がＤ２２、Ｄ１９、Ｄ１６と変わってもボルト４の取付けによって容易に対応することができる。【００１５】  図２乃至図３に示す本発明の異形鉄筋直交結束装置の第２の実施例では、シャックル本体部５１、５２の頂部屈曲部５５と直交する方向にシャックル本体部５１、５２の下方を捩って改造ツイストシャックル５とし、２方向に分かれたシャックル本体部５１，５２の先端を棒状鋼材延長部５３，５４に形成することも可能であるから、該棒状鋼材延長部５３に長孔５９を形成し，該長孔５９に図４に示すテーパー付ナット８を挿入し、棒状鋼材延長部５４にボルト挿入孔５８を形成しておけば、ボルト５６を締め付けて順次異形鉄筋の直径がＤ２２、Ｄ１９、Ｄ１６と変わっても挿通されたボルト５６のボルト六角頭部５７をレンチで締付ければ問題なく異形鉄筋を直交結束することができる構造になっている。【００１６】  図４に示すテーパー付ナット８はナットの両側面がテーパー付きであり、図５に示すテーパー付ナット８１は片側面がテーパー付きであるが、両側面テーパー付、片側面テーパー付、又は通常のナットでも使用することができる。【００１７】  図５に示す本考案の異形鉄筋直交結束装置の第３の実施例では、シャックル本体部５１、５２の頂部屈曲部５５と直交する方向にシャックル本体部５１、５２の下方を捩って改造ツイストシャックル５とし、図示するように主異形鉄筋１とループ異形鉄筋２とを直交するように挿通させ、２方向に分かれたシャックル本体部５１，５２の先端に異形鉄筋対応座金７を嵌め、更に先端部のネジ部６にナット６１を螺着して、図示するよう該ナット６１を締め付ける。
【符号の説明】
【００１８】  １  主異形鉄筋
２  ループ異形鉄筋
３  結束用棒状鋼材
３１  先端屈曲部
３２  中間屈曲部
３３  棒状鋼材延長部
３４  ボルト挿入孔
３５  長孔
４  ボルト
５  改造ツイストシャックル
５１  シャックル本体部
５２  シャックル本体部
５３  棒状鋼材延長部
５４  棒状鋼材延長部
５５  頂部屈曲部
５６  ボルト
５７  ボルト六角頭部
５８  ボルト挿入孔
５９  長孔
６  ネジ部
６１  ナット
７  異形鉄筋対応座金
８  テーパー付ナット
８１  テーパー付ナット
９  ボルト
９１  ボルト六角頭部
【図１】
0003156293.tif 000003
【図２】
0003156293.tif 000004
【図３】
0003156293.tif 000005
【図４】
0003156293.tif 000006
【図５】
0003156293.tif 000007
【図６】
0003156293.tif 000008